(57)【要約】【課題】標準電波の形式を利用して時刻情報の送受信ができるとともに、受信端末がタイムゾーンをまたいで移動する場合に生じる不都合を解消できる時刻情報受信端末、時刻情報送出装置、時刻情報送受信システムを提供する。【解決手段】時刻コードを電波に乗せて送出する時刻情報送出装置と、時刻コードを受信する時刻情報受信端末とを備えた時刻情報送受信システムである。そして、時刻情報送出装置は、標準電波フォーマットに従った時刻コードに対して、標準電波フォーマットで固定値となる符号位置に、時差コードを付加して更新された時刻コードを生成し送信する構成とし、時刻情報受信端末は、時刻コードを判読して時刻情報を取得する（Ｓ４）とともに、新たに付加された時差コードを判読する（Ｓ５，Ｓ９）機能を備えた構成とした。【選択図】図６
2010181220.tif 000002
【特許請求の範囲】
【請求項１】
時刻コードが含まれる電波を受信して前記時刻コードを取得する時刻情報受信部と、
この時刻情報受信部により取得された時刻コードを標準電波フォーマットに従って判読して時刻情報を得る第１コード判読手段と、
前記時刻情報受信部により取得された時刻コードの所定の符号位置に付加された情報コードを判読する第２コード判読手段と、
を備えたことを特徴とする時刻情報受信端末。
【請求項２】
前記第２コード判読手段は、
標準電波フォーマットの時刻コード中で固定値となる符号位置に付加された前記情報コードを判読する構成であることを特徴とする請求項１記載の時刻情報受信端末。
【請求項３】
前記第２コード判読手段は、
前記情報コードとして電波送信地域の時差情報が表わされる時差コードを判読する構成であることを特徴とする請求項１記載の時刻情報受信端末。
【請求項４】
前記第２コード判読手段は、
前記情報コードとして電波送出元の種別が表わされる送出種別コードを判読する構成であることを特徴とする請求項１記載の時刻情報受信端末。
【請求項５】
前記第２コード判読手段により判読される前記情報コードには、
電波送信地域の時差情報が表わされる６ビットの時差コードと、電波送出元の種別が表わされる２ビットの送出種別コードとが含まれることを特徴とする請求項１記載の時刻情報受信端末。
【請求項６】
前記第１コード判読手段によって判読された時刻情報に基づき時刻を表示する時刻表示手段と、
この時刻表示手段の時刻が所定国の時間であるか所定国外の時間であるかを示すワールドタイム標識を表示する標識表示手段と、
前記第２コード判読手段によって判読された前記情報コードに基づき、前記時刻情報が前記所定国の時刻か否かを判別し、この判別結果に応じて前記標識表示手段の表示内容を制御する制御手段と、
を備えたことを特徴とする請求項１記載の時刻情報受信端末。
【請求項７】
前記第１コード判読手段によって判読された時刻情報に基づき時刻を表示する時刻表示手段と、
この時刻表示手段の時刻が何れの地域の時刻であるかを表わす地域情報を表示する地域情報表示手段と、
前記第２コード判読手段によって判読された前記情報コードに基づき、前記時刻情報が何れの地域の時刻であるかを判別し、この判別結果に応じて前記地域情報表示手段の表示内容を制御する制御手段と、
を備えたことを特徴とする請求項１記載の時刻情報受信端末。
【請求項８】
時刻コードを電波に乗せて送出する時刻情報送出装置と、前記電波を受信して前記時刻コードを取得する時刻情報受信端末と、を備えた時刻情報送受信システムにおいて、
前記時刻情報送出装置は、
標準電波フォーマットに従って時刻情報を符号化した時刻コードに対して、前記標準電波フォーマットの所定の符号位置に、情報コードを付加して更新された時刻コードを生成する時刻コード生成手段と、
この時刻コード生成手段により生成された時刻コードを電波に乗せて送出する電波送信手段と、
を備え、
前記時刻情報受信端末は、
前記電波を受信して前記時刻コードを取得する電波受信手段と、
この電波受信手段により取得された時刻コードを判読して時刻情報を取得する第１判読手段と、
前記電波受信手段により取得された時刻コードのうち前記情報コードを判読する第２判読手段と、
を備えていることを特徴とする時刻情報送受信システム。
【請求項９】
前記時刻コード生成手段が付加する前記情報コードには、
電波送信地域の時差情報が表わされる時差コードと、電波送出元の種別が表わされる送出種別コードとが含まれることを特徴とする請求項８記載の時刻情報送受信システム。
【請求項１０】
標準電波フォーマットに従って時刻情報を符号化した時刻コードに対して、前記標準電波フォーマットの所定の符号位置に、情報コードを付加して更新された時刻コードを生成する時刻コード生成手段と、
この時刻コード生成手段により生成された時刻コードを電波に乗せて送出する電波送信手段と、
を備えていることを特徴とする時刻情報送出装置。
【請求項１１】
前記時刻コード生成手段が付加する前記情報コードには、
電波送信地域の時差情報が表わされる時差コードと、電波送出元の種別が表わされる送出種別コードとが含まれることを特徴とする請求項１０記載の時刻情報送出装置。
【発明の詳細な説明】
【技術分野】
【０００１】
この発明は、時刻コードを受信する時刻情報受信端末、時刻コードを送信する時刻情報送出装置、並びに、これら時刻情報受信端末と時刻情報送出装置とからなる時刻情報送受信システムに関する。
【背景技術】
【０００２】
時刻コードが含まれる標準電波を受信して自動的に時刻修正を行う電波時計が知られている。長波帯の標準電波は複数の国で送信されているが、変調方式や周波数が各国で異なり、また、時刻コードの形式も各国で異なることから、複数の国の標準電波に対応してない電波時計では各国の標準電波を受信して時刻情報を取得することはできない。その場合、必要に応じてユーザが手動で時刻補正する必要がある。
【０００３】
このような課題に対して、特許文献１には、ＧＮＳＳ（Global Navigation Satellite System）の受信機で受信した位置情報と時刻情報とを利用して、受信機が設置された他の国や他の地域の時刻情報を、例えば日本の標準電波の形式で時刻コードに変換して送信する時刻情報送出装置が提案されている。このような時刻情報送出装置を他国に設置しておくことで、日本の標準電波のみに対応した電波時計でも、他国でその国の時刻情報を受信して、自動的な時刻修正が可能となる。
【０００４】
また、近年、電子時計の多機能化が進み、例えば、世界の各都市の時刻を表示することのできるワールドタイム機能を備えた電子時計も知られている。ワールドタイム機能とは、例えば、標準電波が受信できる所定のタイムゾーン（例えば日本）の時刻をホームタイムとして時計内部で計時させておき、ユーザ操作によって世界の各都市を選択することで、記憶部に記憶されている選択都市の時差情報とホームタイムの計時時刻とから選択都市の時刻を算出し、それを表示出力するものである。
【０００５】
また、一国で複数のタイムゾーンを有するアメリカでは、１箇所の標準電波送信所からＵＴＣ（協定世界時）の時刻情報を標準電波に乗せて送信するようにされている。そのため、アメリカの標準電波に対応した電波時計では、標準電波を受信しただけでは正しい時刻表示を行うことはできず、何れのタイムゾーンに居るのかタイムゾーンの設定が行われて、時刻コードが示すＵＴＣ時刻から該当するタイムゾーンの時差を減算することで、設定されたタイムゾーンの時刻が表示されるように構成される。
【先行技術文献】
【特許文献】
【０００６】
【特許文献１】特開２００７−９３５６２号公報
【発明の概要】
【発明が解決しようとする課題】
【０００７】
上述の時刻情報送出装置は、例えば、現地（他国）の時刻情報を日本の時刻コードに変換して送信するだけなので、その時刻コードには時刻情報が他国のものであることや、どのタイムゾーンのものであるかなどの情報が示されていない。
【０００８】
従って、ワールドタイム機能を備えた電子時計では、例えばドバイなど別のタイムゾーンにおいて上記の時刻情報送出装置から送信されている時刻コードを受信した場合に、時計内部では、受信された別のタイムゾーンの時刻情報がホームタイム（例えば日本の時刻）であると誤認してしまう。そのため、ワールドタイム機能によって現地（例えばドバイ）の時刻を表示させた場合に、全く別の時刻が表示されてしまうといった問題が生じる。
【０００９】
また、アメリカの標準電波に対応した電波時計では、例えば、ニューヨークからロサンゼルスに移動した際に、現地の時刻を正しく表示させるには、ユーザがタイムゾーン設定をニューヨークからロサンゼルスに変更するといった操作を行わなければならないという課題があった。
【００１０】
この発明の目的は、現在世界の各国で送信されている標準電波の形式を利用して時刻情報を送受信できるとともに、受信端末がタイムゾーンをまたいで移動する場合に生じる不都合を解消することのできる時刻情報受信端末、時刻情報送出装置、時刻情報送受信システムを提供することにある。
【課題を解決するための手段】
【００１１】
上記目的を達成するため、請求項１記載の発明は、
時刻コードが含まれる電波を受信して前記時刻コードを取得する時刻情報受信部と、
この時刻情報受信部により取得された時刻コードを標準電波フォーマットに従って判読して時刻情報を得る第１コード判読手段と、
前記時刻情報受信部により取得された時刻コードの所定の符号位置に付加された情報コードを判読する第２コード判読手段と、
を備えたことを特徴とする時刻情報受信端末である。
【００１２】
請求項２に記載の発明は、請求項１記載の時刻情報受信端末において、
前記第２コード判読手段は、
標準電波フォーマットの時刻コード中で固定値となる符号位置に付加された前記情報コードを判読する構成であることを特徴としている。
【００１３】
請求項３に記載の発明は、請求項１記載の時刻情報受信端末において、
前記第２コード判読手段は、
前記情報コードとして電波送信地域の時差情報が表わされる時差コードを判読する構成であることを特徴としている。
【００１４】
請求項４に記載の発明は、請求項１記載の時刻情報受信端末において、
前記第２コード判読手段は、
前記情報コードとして電波送出元の種別が表わされる送出種別コードを判読する構成であることを特徴としている。
【００１５】
請求項５に記載の発明は、請求項１記載の時刻情報受信端末において、
前記第２コード判読手段により判読される前記情報コードには、
電波送信地域の時差情報が表わされる６ビットの時差コードと、電波送出元の種別が表わされる２ビットの送出種別コードとが含まれることを特徴としている。
【００１６】
請求項６に記載の発明は、請求項１記載の時刻情報受信端末において、
前記第１コード判読手段によって判読された時刻情報に基づき時刻を表示する時刻表示手段と、
この時刻表示手段の時刻が所定国の時間であるか所定国外の時間であるかを示すワールドタイム標識を表示する標識表示手段と、
前記第２コード判読手段によって判読された前記情報コードに基づき、前記時刻情報が前記所定国の時刻か否かを判別し、この判別結果に応じて前記標識表示手段の表示内容を制御する制御手段と、
を備えたことを特徴としている。
【００１７】
請求項７に記載の発明は、請求項１記載の時刻情報受信端末において、
前記第１コード判読手段によって判読された時刻情報に基づき時刻を表示する時刻表示手段と、
この時刻表示手段の時刻が何れの地域の時刻であるかを表わす地域情報を表示する地域情報表示手段と、
前記第２コード判読手段によって判読された前記情報コードに基づき、前記時刻情報が何れの地域の時刻であるかを判別し、この判別結果に応じて前記地域情報表示手段の表示内容を制御する制御手段と、
を備えたことを特徴としている。
【００１８】
請求項８に記載の発明は、
時刻コードを電波に乗せて送出する時刻情報送出装置と、前記電波を受信して前記時刻コードを取得する時刻情報受信端末と、を備えた時刻情報送受信システムにおいて、
前記時刻情報送出装置は、
標準電波フォーマットに従って時刻情報を符号化した時刻コードに対して、前記標準電波フォーマットの所定の符号位置に、情報コードを付加して更新された時刻コードを生成する時刻コード生成手段と、
この時刻コード生成手段により生成された時刻コードを電波に乗せて送出する電波送信手段と、
を備え、
前記時刻情報受信端末は、
前記電波を受信して前記時刻コードを取得する電波受信手段と、
この電波受信手段により取得された時刻コードを判読して時刻情報を取得する第１判読手段と、
前記電波受信手段により取得された時刻コードのうち前記情報コードを判読する第２判読手段と、
を備えていることを特徴としている。
【００１９】
請求項９に記載の発明は、請求項８記載の時刻情報送受信システムにおいて、
前記時刻コード生成手段が付加する前記情報コードには、
電波送信地域の時差情報が表わされる時差コードと、電波送出元の種別が表わされる送出種別コードとが含まれることを特徴としている。
【００２０】
請求項１０に記載の発明は、
標準電波フォーマットに従って時刻情報を符号化した時刻コードに対して、前記標準電波フォーマットの所定の符号位置に、情報コードを付加して更新された時刻コードを生成する時刻コード生成手段と、
この時刻コード生成手段により生成された時刻コードを電波に乗せて送出する電波送信手段と、
を備えていることを特徴とする時刻情報送出装置である。
【００２１】
請求項１１に記載の発明は、請求項１０記載の時刻情報送出装置において、
前記時刻コード生成手段が付加する前記情報コードには、
電波送信地域の時差情報が表わされる時差コードと、電波送出元の種別が表わされる送出種別コードとが含まれることを特徴としている。
【発明の効果】
【００２２】
本発明に従うと、時刻コードに付加された標準電波フォーマットにない情報コードによって、この時刻コードが各国の標準電波送信所から送信されているものなのか、別の装置から送信されているものなのかを示すことができる。それにより、タイムゾーンをまたいで移動する際に伴う種々の不都合を解消させる制御が可能となる。
【図面の簡単な説明】
【００２３】
【図１】本発明の実施形態の時刻情報受信端末としての電波時計の全体構成を示すブロック図である。
【図２】本発明の実施形態の時刻情報送出装置の全体構成を示すブロック図である。
【図３】本実施形態で送受信される時刻コードのフォーマットを示す説明図である。
【図４】電波時計のＲＯＭに格納されている時差コード・時差・タイムゾーン名対応テーブルの具体例を示すデータチャートである。
【図５】本実施形態の時刻コード中に付加されるリピータ判別コードの内容を示す図表である。
【図６】電波時計のＣＰＵにより実行される時刻修正処理の制御手順を示すフローチャートである。
【図７】タイムゾーンを移動した場合の電波時計の表示の変更例を示す説明図である。
【発明を実施するための形態】
【００２４】
以下、本発明の実施の形態を図面に基づいて説明する。
【００２５】
図１は、本発明の実施形態の時刻情報受信端末としての電波時計の全体構成を示すブロック図である。
【００２６】
本発明の実施形態の時刻情報送受信システムは、図１に示す時刻情報受信端末としての電波時計１と、所定の標準電波（例えば日本の標準電波）に準じて時刻コードを含んだ電波を一定のエリアに送信する時刻情報送出装置１００（図２参照）とから構成されるものである。
【００２７】
電波時計１は、標準電波を受信して自動的に時刻の修正を行う機能を有した電子時計であり、図１に示すように、アンテナＡＮ１を介して標準電波を受信する受信回路部（時刻情報受信部）１１と、時刻や付加情報を表示する表示部１２と、標準電波に含まれる時刻コードを判読したり時計の全体的な制御を行う制御手段としてのＣＰＵ（中央演算処理装置）１３と、所定周波数の発振信号から一定間隔の信号を生成する発振回路部１４と、発振回路部１４の信号をカウントすることで時刻を計時する計時回路部１５と、外部から操作指令を入力する入力部１６と、種々の設定データ等が記憶されるＲＡＭ１７と、制御データや制御プログラムが記憶されるＲＯＭ１８等を備えている。
【００２８】
受信回路部１１は、例えば、日本の標準電波送信局から送信されている標準電波や、世界の各送信局で送信されている複数種類の形式の標準電波をそれぞれ受信可能な構成である。なお、日本の標準電波のみ受信可能な構成としてもよい。
【００２９】
計時回路部１５は、発振回路部１４の信号をカウントすることで時間の経過に従って計時データを更新していくともに、ＣＰＵ１３から時刻データが書き込まれることで計時時刻を修正したり、計時時刻を変更することが可能になっている。
【００３０】
ＲＡＭ１７には、種々のデータを記憶する記憶部の一部として、ワールドタイム設定部１７ａと、ホームタイム設定部１７ｂとが設けられる。ホームタイム設定部１７ｂには、時計内部で基準として計時される時刻に関する情報が設定されるものである。具体的には、標準電波により時刻情報が取得可能なタイムゾーンのうち何れか１つのタイムゾーンがユーザによって選択可能にされ、この選択されたタイムゾーンを示す情報が設定される。例えば、日本にほとんどの期間滞在しているような場合には、日本のタイムゾーンが選択される。
【００３１】
ホームタイム設定部１７ｂには、必ず、１つのタイムゾーンが設定され、設定されたタイムゾーンの時刻が計時回路部１５で計時されることとなる。また、受信回路部１１やＣＰＵ１３は、設定されたタイムゾーンの標準電波に対応する受信チャンネルで電波を受信したり、対応するフォーマットで時刻コードを判読したりするようになっている。
【００３２】
ワールドタイム設定部１７ａには、ワールドタイム表示モードに必要な設定情報が記憶される。ワールドタイム表示モードとは、ホームタイムと異なるタイムゾーンの時刻を表示するモードのことである。ワールドタイム設定部１７ａには、ワールドタイム表示モードであるか否かを示すフラグ情報、何れのタイムゾーンの時刻を表示するかを示すタイムゾーン情報、対象のタイムゾーンを示す国や都市などを表わした記号情報、対象のタイムゾーンとホームタイムのタイムゾーンとの時差を示す時差情報などが格納される。例えば、日本にほとんどの期間を滞在し、外国に短期でたびたび移動するような場合には、ホームタイムは日本の設定にしたまま、ワールドタイムに移動先の外国を設定して、外国の時刻を表示したりする。
【００３３】
ＲＯＭ１８には、種々の制御プログラムのうち、計時回路部１５の計時データに基づいて表示部１２にホームタイムやワールドタイムの時刻表示を行う時刻表示プログラム１８ａや、受信回路部１１により標準電波を受信させ再生した時刻コードに基づき時刻の修正等を行う時刻修正プログラム１８ｂなどが記憶されている。また、種々の制御データのうち、後述する時差コードに対応する時差やタイムゾーン名称を表わした対応テーブル１８ｃが記憶されている。
【００３４】
ＣＰＵ１３は、ＲＯＭ１８の制御プログラムを実行することで、種々の制御処理を行う。例えば、時刻表示プログラム１８ａを実行することで、ホームタイム表示モードの際には、計時回路部１５の計時データに従って、表示部１２に日付表示２２、時刻表示２３、および曜日表示２１等を行う（図７（ａ）参照）。また、ワールドタイム表示モードの際には、表示部１２に、ワールドタイム表示モードを示す記号表示２５、ワールドタイム表示の対象国（或いは都市）を表わす記号表示２６を行うとともに、計時回路部１５の計時データから設定された時差を加減算した時刻データによりワールドタイムの時刻表示２７を行ったりする（図７（ｂ）参照）。
【００３５】
また、ＣＰＵ１３は、図示しない操作入力処理プログラムを実行することで、入力部１６を介した操作指令の入力があった場合に、その操作指令の内容に応じて、種々の設定を変更したり対応する処理を起動させたりする。例えば、強制電波受信の操作入力が行われた場合に時刻修正プログラム１８ｂを起動させたり、また、ホームタイムの設定変更の操作入力が行われた場合に、ホームタイム設定部１７ｂの設定情報を書き換えたり、また、ワールドタイムの設定操作が行われた場合に、ホームタイム設定部１７ｂの設定情報を更新して、時刻表示モードをホームタイム表示モードからワールドタイム表示モードに変更したりする。
【００３６】
さらに、ＣＰＵ１３は、時刻修正プログラム１８ｂを実行することで、詳細は後述するが、受信回路部１１を作動させて標準電波を受信させるとともに、再生された時刻コードを判読して計時回路部１５の時刻データを修正したり、標準電波のフォーマットとは別のフォーマットに従って時刻コードに付加されているリピータ判別コードや時差コードを判読し、それによりワールドタイムの設定を自動的に変更する処理を行うようになっている。
【００３７】
図２には、本発明の実施形態の時刻情報送出装置の全体構成を表わしたブロック図を示す。
【００３８】
時刻情報送出装置１００は、例えば外国に設置されて現地の時刻情報を日本の標準電波に準じた形式で一定のエリアに送信する装置である。この時刻情報送出装置１００は、アンテナＡＮ２を介して現地の標準電波を受信して時刻コードを再生する電波受信部１０１と、現地の時刻コードを判読して時刻情報を取得する時刻情報判定部１０２と、所定時間ごとに電波受信部１０１と時刻情報判定部１０２とを作動させる受信タイミング制御部１０３と、計時クロックを作成するための発振器１０５および分周回路１０６と、時刻情報判定部１０２から時刻情報が書き込まれるとともに計時クロックをカウントしていくことで現地時刻の計時を行う計時部１０４と、計時部１０４の計時データを入力して日本の標準電波の時刻コードに準ずるとともに一部を変更したフォーマットの時刻コードを生成するタイムコード生成部１０７と、時刻コードの生成に必要な後述する時差コードおよびリピート判別コードをそれぞれ記憶する時差コード記憶部１０８とリピータ判別コード記憶部１０９と、生成された時刻コードから送信信号を生成する変調部１１０を含み、アンテナＡＮ３を介して送信信号を出力する電波送信部１１１等を備えている。
【００３９】
電波受信部１０１と時刻情報判定部１０２は、現地の時刻情報を取得するための構成である。この部分は、例えば、インターネットを介して時刻サーバから現地の時刻情報を得る構成に変更することもできる。或いは、現地の時刻情報を取得する構成を付加せずに、手動によって計時部１０４の時刻を合わせて、その後、計時部１０４の動作によって現地時刻を計時させるように構成しても良い。
【００４０】
変調部１１０および電波送信部１１１は、例えば、生成された時刻コードを日本の標準電波と同一の周波数（例えば４０ｋＨｚや６０ｋＨｚ）の送信信号に変換して出力する構成である。その他、例えば、現地で送信されている標準電波との混信を防ぐために５０ｋＨｚなど、標準電波に使われていない周波数の送信信号を出力する構成としても良い。この場合、電波時計１の受信回路部１１もこの周波数の信号を受信可能な構成とすることで対応させることができる。
【００４１】
図３には、タイムコード生成部１０７により生成される時刻コードのフォーマットを表わした説明図を示す。
【００４２】
タイムコード生成部１０７は、図３に示すフォーマットで、現地の時刻情報等を時刻コードに符号化するものである。このフォーマットは、図３のＡ〜Ｄのコード部分を除いて、日本の標準電波のフォーマットと同一であり、コード位置Ａ〜Ｄを除いたコード部分によって、年月日・曜日・時分の情報が表わされる。
【００４３】
この時刻コードのフォーマットには、日本の標準電波のフォーマットにはない別フォーマットのコードとして、コード位置Ａ〜Ｄに、現地の時差情報が表される時差コードＷ０〜Ｗ５と、電波を送信している装置の種別を表わすリピータ判別コード（送出種別コード）Ｒ０，Ｒ１とが付加されている。これらのコード位置Ａ〜Ｄは、日本の標準電波のフォーマットにおいて、データ値が“０”に固定されていて、情報を表わす符合として使用されていないコード部分である。従って、これらコード位置Ａ〜Ｄに、時差コードＷ０〜Ｗ５やリピータ判別コードＲ０，Ｒ１を付加しても、時刻情報など元々付加されている情報には影響を与えない。
【００４４】
なお、日本の時刻コードにおいては、パルス幅が０．２秒長のＭ信号とＰ信号によって、時刻コードのフレーム位置が表わされ、パルス幅が０．５秒長の信号によってデータ値「１」が表わされ、パルス幅が０．８秒長の信号によってデータ値「０」が表わされる。また、Ｍ信号の立ち上がりが００秒点、各パルスの立ち上がりがコンマゼロ秒点になるように設定されている。
【００４５】
図４には、電波時計１のＲＯＭ１８に記憶されている時差コードの対応テーブル１８ｃを示したデータチャートを、図５には、リピータ判別コードＲ０，Ｒ１を説明する図表を、それぞれ示す。
【００４６】
時差コードＷ０〜Ｗ５は、図４のデータチャートに示すように、世界各地を時差別に区分けしてなる複数のタイムゾーンの何れか１つを表わすコードである。世界各地を時差別に区分けすると３９のタイムゾーンがあるため、６ビットのデータによってこれらの全てを識別することができる。時差コードＷ０〜Ｗ５のうち先頭の１ビットは時差時間の正負の符号を表わすように設定されている。
【００４７】
この時差コードＷ０〜Ｗ５を受信して判読する電波時計１においては、図４に示すデータチャートが記憶されている。このデータチャートは、時差コードＷ０〜Ｗ５と、それに対応する時差時間（ＵＴＣとの時差時間）の情報と、時差コードに対応するタイムゾーン名称とが登録されたものである。タイムゾーン名称は、ワールドタイム表示モードの際に表示部１２に記号表示させるためのもので、国名、地区名或いは代表する都市名などが登録される。図４では、分かりやすくするためフル名称で示しているが、実際にはアルファベット３文字などに略されたタイムゾーン名称（例えばニューヨークが「ＮＹＣ」など）が登録されている。表示部１２に記号表示するタイムゾーン名称については、同じ時差をもつ多数の国や都市がある場合に、ユーザの好みに合わせて表示する国や都市を選択できるように構成しても良い。
【００４８】
リピータ判別コードＲ０，Ｒ１は、図５に示すように、電波を送信している装置の種別が、例えば、ＮＴＰ（ネットワークタイムプロトコル）利用のリピータであるか、ブースター方式のリピータであるか、ビル内共聴システム方式の装置であるか、或いは、リピータではないか、をそれぞれ表わす２ビットの符号である。リピータでないことを示すコード値「００」は、標準電波送信局から送信されている標準の時刻コードの値と同一値になるように定義されている。
【００４９】
次に、上記構成の時刻情報送出装置１００と電波時計１の動作について説明する。
【００５０】
時刻情報送出装置１００は、例えば、工場出荷前の初期設定時などに、リピータ判別コード記憶部１０９に装置種別を表わすコードが書き込まれる。この実施形態の時刻情報送出装置１００はブースター方式のリピータであるので、リピータ判別コード記憶部１０９に該当するコード“１０”が書き込まれる。
【００５１】
さらに、例えばオペレータによる初期設定により、時差コード記憶部１０８に装置設置箇所のタイムゾーンを表わす時差コード（図４参照）が書き込まれる。例えば、ニューヨークに設置するのであれば、ニューヨークに対応する時差コード“１００１１１”が時差コード記憶部１０８に書き込まれる。
【００５２】
時刻情報送出装置１００は、上記のような初期設定が完了した後、所定箇所に設置されて作動される。時刻情報送出装置１００は、例えば空港など、時差のある地域間を移動してきた人が到来する箇所などに設置すると特に有効である。
【００５３】
時刻情報送出装置１００が作動すると、電波受信部１０１と時刻情報判定部１０２によって、現地の標準電波が間欠的に受信され、その時刻情報により計時部１０４の計時データが修正される。さらに、計時部１０４で分周回路１０６の信号がカウントされていくことにより、計時部１０４において常に正確な現地時刻が計時されていく。
【００５４】
タイムコード生成部１０７は、毎分、計時部１０４の計時データを読み込んで、この掲示データに基づき１フレーム分の時刻コードを生成して変調部１１０に出力していく。時刻コードの年月日曜日時分を表わす部位の符号値は、図３に示すように、日本の標準電波のフォーマットに従って生成される。また、コード位置Ａ〜Ｃには、時差コード記憶部１０８に記憶された時差コードが付加され、コード位置Ｄには、リピータ判別コード記憶部１０９に記憶されたリピータ判別コードが付加される。これにより、時差情報と装置種別の情報とが付加された時刻コードが生成される。
【００５５】
そして、このように生成された時刻コードが変調部１１０と電波送信部１１１に送られて電波に乗せられて送信される。アンテナＡＮ３からは毎分１フレームの時刻コードを乗せた電波が連続的に送信される。
【００５６】
図６には、電波時計１のＣＰＵ１３により実行される時刻修正処理のフローチャートを、図７には、タイムゾーンを移動した場合の電波時計１の表示の変更例を表わした説明図を示す。図７（ａ）は移動前の表示の一例、図７（ｂ）は移動後の表示の一例である。
【００５７】
ここでは、ユーザが、電波時計１のホームタイム設定を日本とし、電波時計１を携帯して日本からニューヨークへ移動した場合を説明する。タイムゾーンを移動する前、例えば日本出発時には、図７（ａ）に示すように、電波時計１の表示部１２には、計時回路部１５の計時データに基づく日本の時刻表示２３、日付表示２２、曜日表示２１などが行われている。
【００５８】
ユーザがニューヨークに到着したのち、例えば所定時刻になって、或いは、強制電波受信の操作がなされたことにより、電波時計１の時刻修正処理が開始されると、先ず、電波時計１のＣＰＵ１３は、受信回路部１１を作動させてホームタイム設定に対応する受信チャネルで電波受信を行わせる（ステップＳ１）。そして、受信が成功したか判別して（ステップＳ２）、不成功であればステップＳ３で次に再受信を行う時刻を設定してこの時刻修正処理を終了する。一方、受信成功であれば、次の処理に移行する。
【００５９】
受信成功した場合には、図７（ｂ）に示すように、表示部１２に受信成功を示す「ＲＣＶＤ」の記号表示２８が出力される。
【００６０】
受信成功により次の処理に移行したら、先ず、受信した時刻コードから時刻情報を判読する（ステップＳ４：第１コード判読手段）。すなわち、図３に示す時刻コードのうち、分・時・通算日・年・曜日のコード部分を判読して、年月日データ、時分データ、曜日データを求める。
【００６１】
次に、受信した時刻コードのコード位置Ａ〜Ｄから時差コードとリピータ判別コードとを取得し（ステップＳ５）、リピータ判別コードに基づいてリピータからの電波を受信したのか否かを判別する（ステップＳ６）。ここで、日本の電波送信局から送信されている標準電波を受信した場合には、リピータ判別コードは“００”となってリピータでないと判別されるため、ＮＯ側に移行して通常の時刻修正（ステップＳ７）と修正した時刻の表示（ステップＳ８：時刻表示手段）とを行う。すなわち、ステップＳ４で判読した時刻情報で計時回路部１５の計時データを上書きし、表示部１２に計時回路部１５の時刻を表示させる。そして、この時刻修正処理を終了する。
【００６２】
一方、ニューヨークの空港で時刻情報送出装置１００から電波を受信している場合には、リピータ判別コードは“１０”等となってリピータであると判別されるためステップＳ９に移行する。
【００６３】
ステップＳ９に移行したら、先ず、ステップＳ５で取得した時差コードから、図４の対応テーブル１８ｃを参照して、対応する時差時間（ＵＴＣに対する時差時間）の情報を求め（ステップＳ９）、この時差コードに対応する時差時間と、ホームタイム設定部１７ｂに設定されているホームタイムゾーンの時差時間（ＵＴＣに対する時差時間）とを比較する（ステップＳ１０）。上記ステップＳ５，Ｓ６，Ｓ９，Ｓ１０の処理により第２コード判読手段が構成される。
【００６４】
その結果、時差コードの時差時間とホームタイムの時差時間とが一致していれば、現在、ホームタイムのタイムゾーンに居て、ステップＳ４で判読した時刻情報はホームタイムの時刻であることが示されるので、ステップＳ７に移行して、通常の時刻修正と修正した時刻の表示を行って、この時刻修正処理を終了する。
【００６５】
一方、ニューヨークに移動した後においては、ホームタイムの時差時間は日本の時差時間であり、時差コードの時差時間はニューヨークの時差時間であるため、ステップＳ１０の比較結果が不一致とされる。また、それにより、現在、ホームタイム以外のタイムゾーンに居て、ステップＳ４で判読した時刻情報はホームタイム以外の時刻であることが示される。
【００６６】
そのため、ステップＳ１０の比較結果が不一致とされたら、ステップＳ１１に移行して、先ず、ＣＰＵ１３はワールドタイム表示モードへの切り換えを行う。すなわち、ＲＡＭ１７のワールドタイム設定部１７ａに、ワールドタイム表示モード中であることを示すフラグ情報や、ワールドタイム表示の対象となるタイムゾーンを表わす情報として時差コードに対応したタイムゾーンを示す情報が設定される。また、対応テーブル１８ｃから時差コードに対応するタイムゾーンの国や都市を表わす記号情報や、ＵＴＣからの時差ではなくホームタイムから対象のタイムゾーンの時差時間が算出されてこれがホームタイムからの時差情報として設定される。
【００６７】
次に、ステップＳ１２に移行して、計時回路部１５の時刻データに対して時差コードに応じた時刻修正を行う（時刻表示手段）。すなわち、ステップＳ４で判読した時刻情報から、ホームタイムからの時差時間を差し引いて、ホームタイムの時刻を算出する。そして、この算出された時刻データで計時回路部１５の計時データを上書きする。この時刻修正により、ホームタイムのタイムゾーンと異なるタイムゾーンに居ながら、計時回路部１５の計時データがホームタイムの時刻に正確に修正される。
【００６８】
次いで、ステップＳ１３に移行して、表示部１２の表示内容をワールドタイム表示モードの表示に切り換える。すなわち、図７（ａ）から図７（ｂ）への遷移に示すように、曜日表示２１を、ワールドタイム表示モード中であることを示す「ＷＴ（ワールドタイム標識）」の記号表示２５に切り換え（標識表示手段）、日付表示２２をワールドタイム表示の対象国（或いは都市）を表わす「ＮＹＣ（地域情報）」などの記号表示２６に切り換える（地域情報表示手段）。さらに、ホームタイム（日本）の時刻表示２３を、計時回路部１５の計時データから対象のタイムゾーンまでの時差時間を差し引いたワールドタイム（ニューヨーク）の時刻表示２７に切り換える。
【００６９】
そして、この時刻修正処理を終了する。時刻修正処理の終了後は、ＣＰＵ１３により実行される時刻表示処理によって、ワールドタイム設定部１７ａの設定情報に基づいてワールドタイム表示モードの出力が続けられる。
【００７０】
以上のように、この実施形態の電波時計１によれば、時刻コードを標準電波のフォーマットに従って判読して時刻情報を取得するとともに、標準電波のフォーマットとは異なるフォーマットで時刻コードに付加された時差コードやリピータ判別コードを判読することができるので、電波時計１は、所定の電波送信局から送信された標準電波と、他の装置から送信された標準電波に準じた電波とを識別し、それぞれの場合に応じた制御処理を行うことができる。
【００７１】
例えば、リピータ判別コードによって、時差情報など他の情報が付加されているか否かを判別することができるし、時差コードによって、どのタイムゾーンに居るか判別したり、ホームタイムからの時差時間を算出したりすることができる。それにより、ホームタイムの地域と異なるタイムゾーンに居ることが判別された場合に、ホームタイムの時刻情報を修正するのではなく、ワールドタイム表示モードに切り換えて別のタイムゾーンの時刻として修正された時刻表示を行わせることができる。
【００７２】
また、その際、ワールドタイム表示モードであることを示す記号表示２５が表示部１２に出力されるので、ユーザはワールドタイム表示が開始されて現地時刻が正しく表示されていることを、それにより認識することができる。同様に、ワールドタイム表示モードに切り換えられた際に、表示時刻の国や都市の記号表示２６が行われるので、ユーザはより確実に現地時刻が正しく表示されていることを認識することができる。
【００７３】
また、アメリカのように、一国で複数のタイムゾーンを有し、全てのタイムゾーンの区域にＵＴＣの時刻コードを配信しているような地域に対応する電波時計では、電波時計に何れのタイムゾーンに居るのか設定可能な機能を付加し、時刻コードを受信した場合にＵＴＣから該当するタイムゾーンの時差を差し引いて現地の時刻を算出させ、この算出された時刻で表示時刻を修正するように構成される。このような電波時計においては、上記実施形態の電波時計１と同様に、時刻情報送出装置１００から時刻コードとともに時差コードを受信して時差情報を判読する機能を付加することで、例えば、電波時計を持ってアメリカ西部からアメリカ東部に移動した際に、ＵＴＣ情報とともに時差情報を自動的に受信して、ユーザがタイムゾーンの設定変更の操作を行う必要なく、移動先のタイムゾーンの時刻表示に自動修正させることも可能となる。
【００７４】
また、上記実施形態によれば、時刻コードに新たに付加されるコード（例えば時差コードやリピータ判別コード）は、標準電波のフォーマットにおいて固定値の符号が配置されるコード位置に付加されるので、標準電波の時刻コードに元々付加されている情報が削減されることもなく、標準電波の時刻コードのみを受信可能な従来の電波時計でも時刻コードを受信して時刻情報を取得させることができる。
【００７５】
また、時差コードを６ビットデータにより定義しているので、世界中の全てのタイムゾーンを時差コードにより識別させることができる。また、リピータ判別コードを２ビットデータにより定義しているので、４種類の装置種別を識別することができ、それにより装置種別に応じた制御処理もバリエーション多く行うことができる。
【００７６】
なお、本発明は、上記実施の形態に限られるものではなく、様々な変更が可能である。例えば、時刻コードに新たに付加されるコードは、時差コードやリピータ判別コードに限られるものではなく、例えば、所定の電波送信局から送信される標準電波の時刻コードでないことを表わすコードのみを付加するようにしても良い。その場合でも、例えば、電波時計１によってこのコードを判読することで、標準電波の時刻コードでない場合に、別装置から送られている時刻コードであることを表示出力する制御を行って、それをユーザに通知することができる。また、別装置から送られている時刻コードである場合には、ホームタイムの時刻を変更しないような制御処理を採用することで、他国で受信したときに誤ってホームタイムの時刻がそのまま修正されないようにすることができる。
【００７７】
また、上記実施の形態で示した時差コードの替わりに、国や地域の情報を示す地域コードを付加するようにしても良い。そして、地域コードから、その地域の時差を算出するようにすれば、地域コードが付加されていても上記実施形態と同様の制御が可能である。
【００７８】
また、上記実施形態では、電波時計１により受信される時刻コードや、時刻情報送出装置１００により送信される時刻コードとして、日本の標準電波の時刻コードに準ずるものを例示したが、例えば、アメリカの居住者が使用する場合にはアメリカの時刻コードに準ずるものを適用するなど、種々に変更可能である。
【００７９】
また、上記実施形態では、時刻情報送出装置１００から送信される時刻コードには、現地の時刻情報が表わされるものと説明したが、時刻コードに例えばＵＴＣ時刻の情報を表わしておき、時差コードから得られる時差時間を差し引くことで、現地時間が算出されるように規格してもよい。
【００８０】
また、上記実施形態では、時刻情報受信端末として電波時計を例示したが、電波時計に限られず時刻情報を利用して種々の機能を実現する様々な電子機器に同様に適用することが可能である。その他、実施形態で示した細部構成および細部方法等は発明の趣旨を逸脱しない範囲で適宜変更可能である。
【符号の説明】
【００８１】
１    電波時計
１１  受信回路部
１２  表示部
１３  ＣＰＵ
１５  計時回路部
１６  入力部
１７ａ  ワールドタイム設定部
１７ｂ  ホームタイム設定部
１８ａ  時刻表示プログラム
１８ｂ  時刻修正プログラム
１８ｃ  時差コード対応テーブル
２５    記号表示
２６    記号表示
１００  時刻情報送出装置
１０４  計時部
１０７  タイムコード生成部
１０８  時差コード記憶部
１０９  リピータ判別コード記憶部
１１０  変調部
１１１  電波送信部
Ａ〜Ｃ  時差コードが付加されるコード位置
Ｄ      リピータ判別コードが付加されるコード位置
Ｗ０〜Ｗ５  時差コード
Ｒ０，Ｒ１  リピータ判別コード
【図１】
2010181220.tif 000003
【図２】
2010181220.tif 000004
【図３】
2010181220.tif 000005
【図４】
2010181220.tif 000006
【図５】
2010181220.tif 000007
【図６】
2010181220.tif 000008
【図７】
2010181220.tif 000009